(57)【要約】 本発明の目的は、釣合おもりの保守点検を円滑に行うことができ、且つかご上で作業する保守員の安全を確実に確保できる昇降路内隔壁を設けたエレベーター装置を提供することである。 ロープ（１５）を介して連結されつるべ式に昇降路（１）内を昇降するかご（２）と釣合おもり（３）とを備えており、前記昇降路（１）内で前記かご（２）の昇降空間（１ａ）と前記釣合おもり（３）の昇降空間（１ｂ）との間を遮る昇降路内隔壁（７）を設けたエレベーター装置において、前記昇降路内隔壁（７）は、前記かご（２）と釣合おもり（３）とが昇降中にすれ違う部位に、釣合おもり（３）の水平投影面積と略同一の開口面積を有する開口（７ａ）を設けたことを特徴とする。
2014013600.tif 000002
【特許請求の範囲】
【請求項１】
ロープを介して連結されつるべ式に昇降路内を昇降するかごと釣合おもりとを備えており、前記昇降路内で前記かごの昇降空間と前記釣合おもりの昇降空間との間を遮る昇降路内隔壁を設けたエレベーター装置において、前記昇降路内隔壁は、前記かごと釣合おもりとが昇降中にすれ違う部位に、釣合おもりの水平投影面積と略同一の開口面積を有する開口を設けたことを特徴とするエレベーター装置。
【請求項２】
請求項1に記載のエレベーター装置において、前記昇降路内隔壁の設置高さは、昇降路内のかご最上部停止位置で、このかご天井より高く、前記昇降路の頂部近傍に配設した昇降路内機器より低くしたことを特徴とするエレベーター装置。
【請求項３】
請求項1に記載のエレベーター装置において、前記昇降路内隔壁とかごとの間隔はかご上の作業者の落下を抑止する間隔寸法としたことを特徴とするエレベーター装置。
【発明の詳細な説明】
【技術分野】
【０００１】  本発明は、昇降路内でかごの昇降空間と釣合おもりの昇降空間との間を隔てる昇降路内隔壁を設けたエレベーター装置に関する。
【背景技術】
【０００２】  従来では、昇降路内をかごの昇降通路と釣合おもりの昇降通路とに区画するとともに、昇降路内の上部と下部とで前記両昇降通路を互いに連通させる仕切り板を設けることで、昇降路に換気装置を設置することなく昇降路内の温度を均一化し、駆動装置や制御装置の温度マージンを確保する機械室レスタイプのエレベーター装置が提案されていた(特許文献１参照)。
【先行技術文献】
【特許文献】
【０００３】
【特許文献１】特開２００１−７２３５３
【発明の概要】
【発明が解決しようとする課題】
【０００４】  上記特許文献１に記載された発明では、エレベーターの保守作業に配慮されておらず、例えば釣合おもりの保守点検作業への考慮が十分ではないという課題があった。【０００５】  また、仕切り板の設置高さは、上部において、かごが最上階に停止したときのかごの側面までに達すればよいとされており、最上階に停止させたかご上で作業を行う際の作業者の落下防止などは考慮されていなかった。【０００６】  本発明は、上記の点を鑑みてなされたもので、その目的は、釣合いおもりの保守点検を円滑に行うことができ、且つかご上で作業する作業者の安全を確実に確保できる昇降路内隔壁を設けたエレベーター装置を提供するにある。
【課題を解決するための手段】
【０００７】  本発明は上記目的を達成するために、ロープを介して連結されつるべ式に昇降路内を昇降するかごと釣合おもりとを備えており、前記昇降路内で前記かごの昇降空間と前記釣合おもりの昇降空間との間を遮る昇降路内隔壁を設けたエレベーター装置において、前記昇降路内隔壁は、前記かごと釣合おもりとが昇降中にすれ違う部位に、釣合おもりの水平投影面積と略同一の開口面積を有する開口を設けたことを特徴とする。
【発明の効果】
【０００８】  本発明は、以上のようにエレベーター装置を構成したため、釣合いおもりの保守点検をかご上から円滑に行うことができ、且つかご上で作業する作業者の安全を確実に確保することができる。
【図面の簡単な説明】
【０００９】
【図１】本発明の一実施の形態を示すエレベーター装置の構成図である。
【図２】本発明の一実施の形態を示す昇降路平面図である。
【図３】本発明の一実施の形態における釣合おもり保守点検時の、かごと釣合おもりの位置関係を示す図である。
【図４】図３中の、Ａから見た要部拡大図である。
【図５】本発明の一実施の形態を示す昇降路平面図である。
【図６】本発明の一実施の形態において釣合おもり横落ちの実施形態を示す昇降路平面図である。
【図７】本発明の他の実施の形態を示すエレベーター装置の構成図である。
【図８】本発明の他の実施の形態における釣合おもり保守点検時の状況を示す図である。
【発明を実施するための形態】
【００１０】  以下、本発明の一実施の形態を、図に基づいて説明する。
【００１１】  各図において、同一または相当の部材、部位については、同一符号を付して説明する。
【００１２】  図１は本発明の一実施形態となるエレベーター装置の構成図、図２は昇降路1の平面図である。
【００１３】  図において、かご２と釣合おもり３とはロープ１５を介して連結されており、このロープ１５が巻き掛けられた巻上機である駆動装置４を駆動することで、かご２と釣合おもり３とが昇降路１内を釣瓶式に昇降するよう構成されている。
【００１４】  ここで、釣合おもり３はその両側方をガイドレール２２に案内されて昇降し、乗りかご２は同様にガイドレール２１に案内されて昇降するよう構成されている。
【００１５】  また駆動装置４は、制御装置５により制御されている。
【００１６】  また昇降路１内には昇降路内隔壁７が、昇降路１の頂部近傍から底部近傍まで延設されており、昇降路１内をかご２の昇降通路１ａと、釣合おもり３の昇降通路１ｂとに隔てて区画している。
【００１７】  図１に示すように、昇降路内隔壁７の昇降路１頂部近傍における設置高さは、かごの昇降路１内における最上部停止位置で、かご上保守作業を行う作業者の落下防止が図れるよう、かご天井２ａより高く設置され、且つ昇降路１の頂部近傍に配設した昇降路内機器であるロープ１５,駆動装置４などと干渉しない高さまで設置されるよう構成されている。
【００１８】  さらに、この昇降路内隔壁７は、この隔壁７が設置されないエレベーターではかご天井２ａ上に設置されるかご上手摺り６(図１に二点鎖線で表示)の高さ位置まで設ければ、作業者の落下防止効果を十分に図れる。
【００１９】  言い換えれば、この昇降路内隔壁７を設ければ、かご天井２ａ上に設置されるかご上手摺り６は設けなくとも、作業者の落下防止効果を十分に図れる。
【００２０】  さらに、昇降路内隔壁７により、かご２上での保守点検作業時の作業者の落下を回避できる構成としてかご上手摺り６を不要としたため、かご天井２ａと昇降路１の頂部との間隔寸法、ひいてはオーバーヘッド寸法を短縮可能であり、昇降路１全体の容積を低減したコンパクトなエレベーター装置とすることができる。
【００２１】  また、昇降路内隔壁７の昇降路１底部近傍における設置高さは、かご２の昇降路１内における最下部停止位置で、かご２の側面の高さ位置まで設置され、且つ昇降路１の下部に配設した機器と干渉しない高さ位置まで設置されるよう構成されている。
【００２２】  また、図２は昇降路1の平面図であり、昇降路内隔壁７とかご天井２ａの周縁部との間隔は、かご天井２ａ上で作業を行う図示しない作業者の落下を抑止する間隔寸法として約３００ｍｍ以内程度としている。
【００２３】  同様の理由で、かご天井２ａの周縁部と昇降路１の壁部との間隔寸法も約３００ｍｍ以内程度としている。
【００２４】  次に、かご天井２ａ上から行う釣合おもり３の保守点検作業について図３,４を用いて説明する。
【００２５】  図３は、図１において、釣合おもり３の保守点検時の、かご２と釣合おもり３の位置関係を示したものであり、図４は、図３中でＡから見た図を示している。
【００２６】  図３、４に示すように、その昇降路１の概略中間部付近で、昇降中にかご２と釣合おもり３がすれ違う部位には、釣合おもり３の水平投影面積と略同一の開口面積を有する開口７ａを設けており、この開口７ａを利用すれば、かご天井２ａ上を足場とした作業者が、釣合おもり３の保守点検を行うことが可能である。
【００２７】  なおこの保守点検作業としては、前記釣合おもり３をそのガイドレール２２に案内させるよう両者間に介設される釣合おもりガイド装置３ｃの保守点検や、釣合おもり３に設けられ前記ガイドレール２２に潤滑油を塗布する給油器３ｂの保守点検などの作業が含まれている。
【００２８】  また図４に示す通り、上記釣合おもり３の保守点検時には、開口７ａの反かご２側には釣合おもり３が設けられているため、釣合おもり３の昇降通路１ｂから作業者が落下することはないが、釣合おもり３の水平投影面積よりも上部に大きい開口面積で開口７ａを形成する場合は、釣合おもり側落下防止材３ａを設けておけば、作業者の安全性を確保できる。
【００２９】  さらに、昇降路内隔壁７の横幅は、図２のように両端を昇降路１の壁面に接するように、昇降路１の横幅全体に渡って設けてもよいが、図５のように、かご天井２ａから保守員の落下を回避できる構成としてもよい。
【００３０】  すなわち、概ねかご天井２ａから昇降路１との間隔寸法を３００ｍｍ以内とすることが望ましい。
【００３１】  以上の説明は、釣合おもり３を、かご２の後側に配置した釣合おもり３の後落ちの例で示したが、図６に示すように、釣合おもり３横落ちのエレベーター装置においても、上述の実施例と同様の効果が得られる。
【００３２】  図７は、本発明の他の実施形態になるエレベーター装置の構成図であり、駆動装置４と制御装置５が昇降路１内の下部に設置されている。
【００３３】  この他の実施の形態のエレベーター装置によれば、ロープ１５が、ロープエンド１５ａから垂下し、乗りかご下プーリ２ｂに巻き掛けられた後上方へ張設された後、転向プーリ３０ａに巻き掛けられた後垂下し、駆動装置４に巻き掛けられた後上方へ張設され、転向プーリ３０ｂに巻き掛けられた後垂下し、釣合おもりプーリ３ｄに巻き掛けられた後上方へ張設されロープエンド１５ｂに固定されるようにローピングされる構造となっている。
【００３４】  図８は、他の実施の形態における釣合おもり保守点検時の状況を示すものである。
【００３５】  この他の実施の形態である機械室の設置されない機械室レスタイプのエレベーター装置においても、前述した実施の形態と同様に、昇降路内隔壁７を設けたため、釣合いおもり３の保守点検をかご天井２ａ上から円滑に行うことができ、且つかご天井２ａ上で作業する作業者の安全を確実に確保することができる。
【００３６】  なお、他の実施の形態における釣合おもり保守点検には、釣合おもりプーリ３ｄの点検作業も含まれている。
【符号の説明】
【００３７】１  昇降路、かごの昇降空間  １ａ、釣合おもりの昇降空間  １ｂ、２  かご、２ａ  かご天井、３  釣合おもり、３ａ  釣合おもり側落下防止材、３ｂ  給油器、３ｃ  釣合おもりガイド装置、３ｄ  釣合おもりプーリ、４  駆動装置、５  制御装置、６  かご上手すり、７  昇降路内隔壁、７ａ  開口、１５  ロープ、２１  かごガイドレール、２２  釣合おもりガイドレール
【図１】
2014013600.tif 000003
【図２】
2014013600.tif 000004
【図３】
2014013600.tif 000005
【図４】
2014013600.tif 000006
【図５】
2014013600.tif 000007
【図６】
2014013600.tif 000008
【図７】
2014013600.tif 000009
【図８】
2014013600.tif 000010
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
ロープを介して連結されつるべ式に昇降路内を昇降するかごと釣合おもりとを備えており、前記昇降路内で前記かごの昇降空間と前記釣合おもりの昇降空間との間を遮る昇降路内隔壁を設けたエレベーター装置において、前記昇降路内隔壁は、前記かごと釣合おもりとが昇降中にすれ違う部位に、釣合おもりの水平投影面積と略同一の開口面積を有する開口を設けたことを特徴とするエレベーター装置。
【請求項２】
請求項1に記載のエレベーター装置において、前記昇降路内隔壁の設置高さは、昇降路内のかご最上部停止位置で、このかご天井より高く、前記昇降路の頂部近傍に配設した昇降路内機器より低くしたことを特徴とするエレベーター装置。
【請求項３】
請求項１または２に記載のエレベーター装置において、前記昇降路内隔壁とかごとの間隔はかご上の作業者の落下を抑止する間隔寸法としたことを特徴とするエレベーター装置。
【国際調査報告】
2014013600.tif 000011
2014013600.tif 000012
2014013600.tif 000013
2014013600.tif 000014